(57)【要約】【課題】本発明は擁壁の構築に際し、長年の使用によって、たとえ擁壁ユニット部材背面の盛り土部が沈下したとしても、擁壁ユニット部材部がそれに引っ張られてずれてはみ出したり、外れたりすることのなく、擁壁ユニット部材が破壊することがなく、また、擁壁を構成する擁壁ユニット部材も強固に固定されて擁壁の表面側にも背面側にもずれることのない擁壁及び擁壁の形成方法を提供することを目的とするものである。【解決手段】本発明による擁壁及び擁壁の形成方法は、１段目に擁壁ユニット部材を敷設すると共に、１段目擁壁ユニット部材の背面側に第１段擁壁部を形成し、敷設した１段目の擁壁ユニット部材の上方には２段目の擁壁ユニット部材を、２段目擁壁ユニット部材における擁壁形成部上端面と対向する位置で、かつ切り欠き条部の壁面を後方にずらして配置し、第２段擁壁部を形成したことを特徴とするものである。【選択図】        図１
2004162280.tif 000002
【特許請求の範囲】
【請求項１】
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設し、該１段目擁壁ユニット部材の背面側には前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけて網状をなす補強アンカー部材を敷き詰めて埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけて網状をなす補強アンカー部材を敷き詰めて埋設し、
第３段擁壁部以降の擁壁部形成は順次前記第２段擁壁部の形成と同様に形成したことを特徴とする擁壁。
【請求項２】
前記補強アンカー部材の敷き詰め埋設は各段の擁壁部すべてに行われず、前記アンカー部が敷き詰め埋設されていない擁壁部が存在することを特徴とする請求項１記載の擁壁。
【請求項３】
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設し、該１段目擁壁ユニット部材の背面側には前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけ、形成される擁壁部の大部分に敷き詰められる網状の補強アンカー部材を敷き詰め埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけ、形成される擁壁部の大部分に敷き詰められる網状の補強アンカー部材を敷き詰め埋設し、
第３段擁壁部以降の擁壁部形成は順次前記第２段擁壁部の形成と同様に形成したことを特徴とする擁壁。
【請求項４】
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設すると共に、該１段目擁壁ユニット部材の背面側に前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけ、形成される擁壁部の大部分に敷き詰められる網状の補強アンカー部材を敷き詰め埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけ、形成される擁壁部の大部分に敷き詰められる網状の補強アンカー部材を敷き詰め埋設し、
第３段擁壁部以降の擁壁部形成は順次前記第２段擁壁部の形成と同様に形成したことを特徴とする擁壁の形成方法。
【発明の詳細な説明】
【０００１】
【発明の属する技術分野】
本発明は、例えば、急勾配の傾斜を有した擁壁を構築するに際し、該急勾配の擁壁を耐久性を充分に保持して形成することが出来る擁壁及び擁壁の形成方法に関するものである。
【従来の技術】
従来、例えばコンクリート製品からなる擁壁ユニット部材２０を組み立て、急勾配の擁壁を構築するには、図５及び図６から理解されるように前記擁壁ユニット部材２０を上下方向に重ね合わせて積み上げ、かつそれら擁壁ユニット部材２０の背面部に長尺状の補強アンカー部材２１を直づけして取り付け、その後、各擁壁ユニット部材２０の背面に盛り土することにより擁壁を形成していた（例えば特許文献１参照）。
【０００２】
【特許文献１】
特開平９−１７７１０３号公報（図１及び図２）
【発明が解決しようとする課題】
しかしながら、前記従来の擁壁であると、長年の使用により盛り土の部分が沈下することがあり、その結果その盛り土の沈下に引きずられて前記補強アンカー部材２１も沈下することとなり、ひいては擁壁ユニット部材２０が積み重ねられて形成された擁壁から、補強アンカー部材２１に引きずられ、沈下した擁壁ユニット部材２０がずれてはみ出したり、外れたりして前記擁壁が破壊してしまうことがあった。
【０００３】
かくして、本発明は前記従来の課題に対処すべく創案されたものであって、擁壁の構築に際し、長年の使用によって、たとえ擁壁ユニット部材背面の盛り土部が沈下したとしても、擁壁ユニット部材部がそれに引っ張られてずれてはみ出したり、外れたりすることのなく、擁壁ユニット部材が破壊することがなく、また、擁壁を構成する擁壁ユニット部材も強固に固定されて擁壁の表面側にも背面側にもずれることのない擁壁及び擁壁の形成方法を提供することを目的とするものである。
【課題を解決するための手段】
本発明による擁壁及び擁壁の形成方法は、
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設し、該１段目擁壁ユニット部材の背面側には前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけて網状をなす補強アンカー部材を敷き詰めて埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけて網状をなす補強アンカー部材を敷き詰めて埋設し、
第３段擁壁部以降の擁壁部形成は順次前記第２段擁壁部の形成と同様に形成したことを特徴とし、
または、
前記補強アンカー部材の敷き詰め埋設は各段の擁壁部すべてに行われず、前記アンカー部が敷き詰め埋設されていない擁壁部が存在することを特徴とし、
または、
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設し、該１段目擁壁ユニット部材の背面側には前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけ、形成される擁壁部の大部分に敷き詰められる網状の補強アンカー部材を敷き詰め埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけ、形成される擁壁部の大部分に敷き詰められる網状の補強アンカー部材を敷き詰め埋設し、
第３段擁壁部以降の擁壁部形成は順次前記第２段擁壁部の形成と同様に形成したことを特徴とし、
または、
略平板方形状をなし、表面部を有する擁壁形成部と、該擁壁形成部の背面から後方に向けて直交方向に張り出す棒状のアンカー部と、を備え、前記擁壁形成部の下端面には表面側から厚み方向中間部にかけて直方体状の切り欠き条部が長手方向に形成された擁壁ユニット部材を有してなり、
１段目に前記擁壁ユニット部材を敷設すると共に、該１段目擁壁ユニット部材の背面側に前記擁壁ユニット部材の高さと略同等の高さに盛り土して第１段擁壁部を形成すると共に、場合によっては前記第１擁壁部の高さ方向略中間位置に前記１段目擁壁ユニット部材の背面より隙間をあけ、形成される擁壁部の大部分に敷き詰められる網状の補強アンカー部材を敷き詰め埋設してなり、
前記敷設した１段目の擁壁ユニット部材の上方には、２段目の擁壁ユニット部材を、前記２段目擁壁ユニット部材における擁壁形成部の切り欠き条部が前記１段目の擁壁ユニット部材における擁壁形成部上端面と対向する位置で、かつ厚み方向中間部に形成された前記切り欠き条部の壁面が前記１段目の擁壁ユニット部材における擁壁形成部背面側上端部より後方に位置するよう後ろにずらして配置し、２段目擁壁ユニット部材の背面側に前記擁壁ユニット部材の高さと略同等の高さに盛り土して第２段擁壁部を形成すると共に、前記第２段擁壁部の高さ方向略中間位置には前記２段目擁壁ユニット部材の背面より隙間をあけ、形成される擁壁部の大部分に敷き詰められる網状の補強アンカー部材を敷き詰め埋設し、
第３段擁壁部以降の擁壁部形成は順次前記第２段擁壁部の形成と同様に形成したことを特徴とするものである。
【０００４】
【発明の実施の形態】
以下、図に基づいて本発明に係る擁壁及び擁壁の形成方法について説明する。
【０００５】
図において符号１は擁壁ユニット部材を示す。
【０００６】
該擁壁ユニット部材１は、通常平板状で横幅が広幅の略長方形状をなしており、表面部２に化粧部を有する擁壁形成部３と、該擁壁形成部３の背面から後方に向けて直交方向に張り出す棒状のアンカー部４とを備えて構成されている。
【０００７】
ここで、前記擁壁形成部３の表面部２は一般に例えば積み石ブロック等における装飾された化粧部を模倣して形成される。しかし、表面部２につき平坦部として構成しても構わない。
【０００８】
該表面部２の形成方法については何ら限定されるものではないが、一般には底型枠に前記例えば積み石ブロックの化粧部をあしらった模様を有する型枠を使用し、その底型枠の周囲を各側型枠で覆い、該型枠内にコンクリートを打設して形成される。すなわち、擁壁形成部３の形成と同時に化粧部も形成されるものとされている。
【０００９】
また、例えば積み石ブロックの化粧用表面部を薄く切り出し、それを底型枠内に収納し、後から充填するコンクリートに貼り付けて化粧部として形成しても構わない。
【００１０】
さらに前記棒状のアンカー部４も一般にコンクリート部材で形成されるがその形成については、前記擁壁形成部３と一体に形成しても構わないし、またアンカー部４につき別体にコンクリート部材で形成し、使用時に双方を連結して形成しても構わないものである。
【００１１】
しかして、平板状で横幅が広幅の略長方形状をなす擁壁形成部３と、その背面に後方に張り出す様形成されたアンカー部４とにより擁壁ユニット部材１は形成され、これらは型枠内にコンクリートを充填し、かつ所要時間経過後に脱型して製造することにより大量に形成することが出来る。
【００１２】
さらに、本発明による擁壁ユニット部材１における前記擁壁形成部３の下端面には化粧部が設けられている表面側から厚み方向中間部にかけて直方体状の切り欠き条部５が長手方向（横幅方向）に向かって形成されている。そして、この切り欠き条部５が本発明において非常に重要な役割を果たすものとなる。
しかして、本発明による擁壁の形成方法につき述べると、まず前記した擁壁ユニット部材１を擁壁を形成すべき箇所に立設、敷設して第１段擁壁部６を形成する。
【００１３】
すなわち、擁壁ユニット部材１を図１に示すようにして敷設した後、その背面側を前記擁壁ユニット部材１の高さと略同等の高さに盛り土して第１段擁壁部６を形成するのである。
【００１４】
この際、場合によっては前記第１擁壁部の高さ方向略中間位置に前記１段目擁壁ユニット部材の背面より隙間をあけ、形成される擁壁部の大部分に敷き詰められる網状の補強アンカー部材１６を敷き詰め埋設しても構わない。
【００１５】
次いで、前記敷設した１段目の擁壁ユニット部材１の上方に、２段目の擁壁ユニット部材１を、前記２段目擁壁ユニット部材１における擁壁形成部３の切り欠き条部５が前記１段目の擁壁ユニット部材１における擁壁形成部３上端面と対向する位置になるように配置する。
【００１６】
図１及び図３を参照して詳細にその配置位置を説明すると、２段目の擁壁ユニット部材１の下端面においてその２段目の擁壁ユニット部材１の化粧部が形成された表面側から前記２段目擁壁ユニット部材１の厚み方向中間部にかけて形成された前記切り欠き条部５の壁面７が前記１段目の擁壁ユニット部材１における擁壁形成部３背面側上端部８より後方に位置するように２段目の擁壁ユニット部材１を後にずらして配置するのである。
【００１７】
そして、２段目擁壁ユニット部材１の背面側に前記擁壁ユニット部材１の高さと略同等の高さに盛り土して第２段擁壁部９を形成する。
【００１８】
この際には、前記形成すべき第２擁壁部の高さ方向略中間位置に前記２段目擁壁ユニット部材１の背面より隙間をあけ、形成される第２段擁壁部９の大部分に敷き詰められるような網状の補強アンカー部材１６を敷き詰め埋設しておくものものとする。
次いで、敷設した２段目の擁壁ユニット部材１の上方に、３段目の擁壁ユニット部材１を、前記３段目擁壁ユニット部材１における擁壁形成部３の切り欠き条部５が前記２段目の擁壁ユニット部材１における擁壁形成部３上端面と対向する位置になるように配置する。
【００１９】
すなわち、３段目の擁壁ユニット部材１の下端面においてその３段目の擁壁ユニット部材１の化粧部が形成された表面側から前記２段目擁壁ユニット部材１の厚み方向中間部にかけて形成された前記切り欠き条部５の壁面７が前記２段目の擁壁ユニット部材１における擁壁形成部３背面側上端部８とより後方に位置するように３段目の擁壁ユニット部材１を後にずらして配置するのである。
【００２０】
そして、３段目擁壁ユニット部材１の背面側に前記擁壁ユニット部材１の高さと略同等の高さに盛り土して第３段擁壁部１０を形成する。
【００２１】
この際には、前記第３段擁壁部１０の高さ方向略中間位置に前記３段目擁壁ユニット部材１の背面より隙間をあけ、形成される第３段擁壁部１０の大部分に敷き詰められるような網状の補強アンカー部材１６を敷き詰め埋設しておくものものとする。
【００２２】
さらに、第４段擁壁部１１、第５段擁壁部１２、第６段擁壁部１３、第７段擁壁部１４及び第８段擁壁部１５の擁壁部形成についても順次前記第２段擁壁部９の形成と同様に形成するものとする。
【００２３】
この様に形成された擁壁は長年の年月が経過しても、積み上げて敷設した擁壁ユニット部材１がずれたりあるいは積み上げられた状態から外れたりすることがない。
【００２４】
すなわち、各擁壁部を構成する盛り土部内に網状の補強アンカー部材１６が敷き詰められ埋設されているため、各擁壁部が前記補強アンカー部材１６にかかる上下方向からの抵抗力で一体化され、もって各擁壁部の沈下速度をも遅らせることが出来る。
【００２５】
また、たとえ各擁壁部が沈下したとしても、積み上げられた各擁壁ユニット部材１は上下方向に各々の端面を接触させて積み上げ敷設されてはおらず、擁壁ユニット部材１の切り欠き条部６の高さ分だけ離して積み上げ敷設されている。
【００２６】
よって、前記切り欠き条部６の高さ分だけ各擁壁ユニット部材１の接触によるずれあるいは外れが容認され、敷設された擁壁ユニット部材１が崩れるおそれがないのである。
【００２７】
さらに前記補強アンカー部材１６は擁壁ユニット部材１の背面に連結されてはいない。よって、たとえ盛り土部の沈下があっても前記敷設された擁壁ユニット部材１の背面において補強アンカー部材１６と連結部が破壊するとの事態を招来することがない。
【００２８】
【発明の効果】
かくして本発明は以上の構成よりなる。
【００２９】
そして、本発明による擁壁及び擁壁の形成方法であれば、擁壁の構築に際し、長年の使用によって、たとえ擁壁ユニット部材背面の盛り土部が沈下したとしても、擁壁ユニット部材部がそれに引っ張られてずれてはみ出したり、外れたりすることのないとの優れた効果を奏する。
【図面の簡単な説明】
【図１】本発明による擁壁の構成を説明する説明図である。
【図２】本発明による擁壁の構成を説明する正面図である。
【図３】本発明による擁壁の構成を拡大して説明する説明図である。
【図４】本発明による擁壁の構成を背面側より説明する説明図である。
【図５】従来の擁壁の構成を説明する説明図（その１）である。
【図６】従来の擁壁の構成を説明する説明図（その２）である。
【図７】従来の擁壁の構成を説明する説明図（その３）である。
【符号の説明】
１    擁壁ユニット部材
２    表面部
３    擁壁形成部
４    アンカー部
５    切り欠き条部
６    第１段擁壁部
７    切り欠き条部の壁面
８    擁壁ユニット部材の背面側上端部
９    第２段擁壁部
１０    第３段擁壁部
１１    第４段擁壁部
１２    第５段擁壁部
１３    第６段擁壁部
１４    第７段擁壁部
１５        第８段擁壁部
１６    補強アンカー部材
２０    擁壁ユニット部材
２１    アンカー部
【図１】
2004162280.tif 000003
【図２】
2004162280.tif 000004
【図３】
2004162280.tif 000005
【図４】
2004162280.tif 000006
【図５】
2004162280.tif 000007
【図６】
2004162280.tif 000008
【図７】
2004162280.tif 000009